(57)【特許請求の範囲】
【請求項１】
近位端および遠位端を備え、上記遠位端は歯科インプラントに対して着脱可能に構成されたインプラントガイドと、
顎に対して所定の位置に配置されるように構成されたテンプレートと、を備え、
上記インプラントガイドは、円筒体を備え、上記円筒体は、円筒状の外面、及び上記外面にある円周状の溝を備え、
上記テンプレートは、歯科インプラントを上記顎に埋入する際に上記インプラントガイドの上記円筒体を所望の埋入方向へ誘導するための少なくとも１つの埋入路、及び上記埋入路の端に停止面を備えた、歯科インプラントの埋入のために用いるキットであって、
第１及び第２の部分を備えた停止素子を備え、
上記第１及び第２の部分は、
上記第１の部分と上記第２の部分とが第１の距離だけ離間した第１の状態と、
上記第１の部分と上記第２の部分とが第２の距離だけ離間した第２の状態と、の間を動くことが可能なように構成されており、
上記第１の距離は、上記第２の距離よりも小さく、
上記第１及び第２の部分は、上記第１の状態へ付勢されており、
上記第２の距離は、上記インプラントガイドの上記外面における互いに正反対の側面間の距離以上であり、
埋入前には、上記第１および上記第２の部分は、上記外面における互いに正反対の側面上で、上記第２の状態に配置されることができ、かつ、
上記停止素子の第１の部分及び第２の部分は、
上記第１の状態においては、上記溝に嵌合し、かつ、当該溝より先へは、上記円筒体上を上記埋入方向の逆方向に実質的に移動できないように構成されており、
上記第２の状態においては、上記円筒状の外面上を上記埋入方向の逆方向に摺動可能であるように構成されており、
上記第２の状態から上記第１の状態に動き、上記溝に嵌合したときに、音による合図を発生させるように構成されている、
ことを特徴とする、キット。
【請求項２】
上記テンプレートは、患者に特有であり、
上記停止面の位置は、歯科インプラントの所望の埋入深度を規定するように選択される、請求項１に記載のキット。
【請求項３】
上記溝は、溝底を備えており、
上記第１の部分と上記第２の部分との間の上記第１の距離は、上記溝底の溝直径よりも大きい、請求項１または２に記載のキット。
【請求項４】
上記第１の部分および上記第２の部分の高さは、上記溝の溝幅よりも小さい、請求項１〜３のいずれか１項に記載のキット。
【請求項５】
上記溝の中における上記第１および上記第２の部分の間隙が、上記歯科インプラントが上記所望の埋入深度に配置されていることを示すように、上記高さおよび上記第１の距離が選択されている、請求項３または４に記載のキット。
【請求項６】
上記溝の中における上記第１の部分および上記第２の部分の挟持位置が、上記歯科インプラントが上記顎の中へ向かって余計に移動していることを示すように、上記高さおよび上記第１の距離が選択されている、請求項５に記載のキット。
【請求項７】
上記停止素子は、上記第１の部分と上記第２の部分とを接続している接続部を備えている、請求項１〜６のいずれか１項に記載のキット。
【請求項８】
上記接続部、上記第１の部分および上記第２の部分は、開環状の形状を形成している、請求項１〜７のいずれか１項に記載のキット。
【請求項９】
上記停止素子は、
上記第１の部分から伸長している第１の伸長部と、
上記第２の部分から伸長している第２の伸長部と、
を備えており、
上記第１の伸長部を上記第２の伸長部に向けて動かすことにより、上記第１および上記第２の部分が、上記第１の状態から上記第２の状態へと動く、請求項７または８に記載のキット。
【請求項１０】
上記停止素子は、弾性材料から作られている、請求項１〜９のいずれか１項に記載のキット。
【請求項１１】
上記溝は、ほぼ長方形の断面を有している、請求項１〜１０のいずれか１項に記載のキット。
【請求項１２】
上記第１および上記第２の部分は、ほぼ長方形の断面をそれぞれ有している、請求項１〜１１のいずれか１項に記載のキット。
【請求項１３】
患者の上記顎に設置されるための歯科インプラントを備えている、請求項１〜１２のいずれか１項に記載のキット。
【請求項１４】
上記停止素子および埋入ガイドには、１つ以上の標準サイズが定められている、請求項１〜１３のいずれか１項に記載のキット。
【発明の詳細な説明】
【発明の詳細な説明】
【０００１】
本発明は、歯科インプラントの埋入用キットに関する。
【０００２】
歯科インプラントは、口腔内に人工物（例えば、人工歯冠など）を固定するための固定源を形成するために、人間の上顎または下顎に設置される。歯科インプラントは、（部分床または全部床の）ブリッジまたは義歯と呼ばれているものである。歯科インプラントを顎に配置するときには、上記顎の中に孔を穿って、内部で上記歯科インプラントを固定せねばならない。通常、上記インプラントにはネジ筋が刻まれているため、上記孔にネジ留めすることにより、上記インプラントは上記孔の中で固定される。
【０００３】
上記顎の中における、上記インプラントの位置および方向の選択は、上記顎の形状および構造以外にも依存している。特に、上記顎の解剖学的な骨構造は当然考慮されねばならないが、同様に、神経線維および血管の正確な位置も考慮されねばならない。それゆえ、上記顎に孔を穿つとき、または上記顎に上記インプラントを取付けるときには、上記神経線維および血管を傷つけないようにせねばならない。さらに、上記インプラント周辺の骨の体積が充分に大きく、上記インプラントを上記顎に強固に固定できることを確かめねばならない。
【０００４】
インプラントの所望の位置は、上記顎ならびに上記神経線維および血管の画像を撮影することによって決定されてよい。上記画像は、画像化システム（例えば、ＣＴスキャンなど）を用いることによって与えられる。上記画像に基づいて、上記インプラントのための、可能な限り最善な位置が選択される。
【０００５】
コンピュータプランニングソフトウェアの補助を受けて選択された位置および方向に従って、上記顎に上記インプラントを高い精度で施すための、上記孔を穿つことができる（ガイド手術）。そのためには、公知の技術によって、特注のテンプレートが作製されてよい。このような技術は、例えば、石膏型、ＣＡＤ  ＣＡＭの使用、またはラピッドプロトタイピングに基づいている。次に、上記テンプレートは上記顎に配置され、可能ならば着脱可能に固定される。次に、上記テンプレートに誘導されて、上記顎に孔が穿たれる。そして、インプラントが、インプラントガイドと呼ばれる物とともに、上記テンプレートを通して上記顎の中にある上記孔に固定される。
【０００６】
インプラントガイド（専門家の間では、「インプラントホルダー(implant holder)」または「固定ドライバー(fixture driver)」とも呼ばれる）は、円筒体を備えている。上記円筒体は、その先端において、上記歯科インプラントに対して着脱可能に固定されている。このようなインプラントガイドは、上記歯科インプラントを、上記テンプレートの埋入路を通じて上記顎の中へ向けて誘導するために、上記歯科インプラント用の雌雄ソケット(extension piece)を形成している。
【０００７】
インプラントを施すとき、施されるインプラントの実際の位置および方向が、事前にプランニングされた所望の位置および方向に、ほぼ正確に対応していることが大いに重要である。さらに、それだけでなく、上記インプラントが、上記顎の中において正確な深さで施されることも最も重要である。もしインプラントが、顎の中において、所定かつ所望の位置、深さまたは方向で正確に固定されなければ、既成の義歯をインプラントに固定することは実質的に不可能となろう。
【０００８】
米国特許第８，３８８，３４２号は、テンプレート、インプラントガイドおよび遮断素子を備える、歯科インプラントの埋入用キットを提供している。上記テンプレートは、埋入路および追加経路を備えている。上記追加経路は、一方では、上記テンプレートの外面に開口しており、他方では、その少なくとも一部において上記埋入路内で開口している。上記追加経路の長軸は、上記埋入路の長軸に対して、ほぼ直角に伸びている。上記追加経路は、細長い円筒状素子として形成されている上記遮断素子を、受け入れるように構成されている。上記遮断素子は、その少なくとも一部が上記埋入路内に伸びるように、上記追加経路の中を移動することができる。上記インプラントガイドは、固定部を備えている。上記固定部は、例えば、開口部である。上記開口部は、上記テンプレートにおける所定の位置で上記インプラントガイドを固定するように、上記遮断素子と併せて機能する。
【０００９】
上記歯科インプラントを埋入する際、上記インプラントガイドおよび上記歯科インプラントの結合体は、上記埋入路を通って、上記顎の中へ向かって移動せねばならない。同時に、上記遮断素子には圧力が負荷されて、上記固定部（例えば、開口部）が上記追加経路と一直線に並び次第、上記遮断素子が固定部の中を確実に移動できなければならない。上記固定部が上記追加経路と一直線になったとき、上記遮断素子を、上記固定部の中へ向けて押し通すことができる。これにより、上記歯科インプラントの正しい埋入深度が確かめられる。
【００１０】
上記歯科インプラントの埋入用キットの短所は、（１）上記歯科インプラントを上記顎の中へ向かって移動させることと、（２）上記遮断素子に圧力を負荷して、上記固定部が上記追加経路と一直線に並び次第、上記遮断素子を上記固定部に確実に挿入することと、を使用者が同時に行わねばならないことである。
【００１１】
また、上記固定部が上記追加経路と一直線となっているときに上記遮断素子が上記固定部に挿入されない場合、上記歯科インプラントを、さらに顎の中へ向かって移動させることができる。その結果、上記歯科インプラントを深く埋入し過ぎるおそれがあり、かつ、上記顎を傷つけるおそれもある。
【００１２】
本発明の目的は、歯科インプラントを所望の埋入深度に確実に設置する、改良されたキットを提供することにある。
【００１３】
本発明は、請求項１に記載のキットを提供する。
【００１４】
上記キットは、テンプレート、インプラントガイドおよび停止素子を備えている。上記キットは、人間の顎の中に歯科インプラントを埋入するように構成されている。上記歯科インプラントは、上記キットの一部であってよい。
【００１５】
上記テンプレートは、顎に対して所定の位置に配置されるように構成されている。通常、上記テンプレートは、患者に固有の容易に認識される位置において、上記テンプレートが上記患者の上記顎および／または歯に嵌合するように設計されている。このため、上記テンプレートと、歯科インプラントが埋入されるべき上記顎との間に、固定された位置関係が生じる。上記テンプレートは、歯科インプラントを上記顎に埋入する際に上記インプラントガイドの上記円筒体を所望の埋入方向へと誘導するための少なくとも１つの埋入路を備えている。
【００１６】
上記埋入路の近位端（すなわち、上記歯科インプラントが設置される上記顎とは反対側）には、停止面が備えられている。
【００１７】
上記歯科インプラントは、上記インプラントガイドの遠位端において、着脱可能に装着されてよい。上記インプラントガイドは、円筒体を備えている。上記円筒体の直径は、上記埋入路と実質的に同じか、あるいは上記埋入路よりも僅かに小さい。このため、上記インプラントガイドは、所望の埋入方向へと、上記埋入路によって誘導される。このようにして、上記テンプレートの上記埋入路は、上記インプラントガイドの上記円筒体と協働して、上記所望の埋入方向へと、上記歯科インプラントを上記顎に確実に挿入する。
【００１８】
上記顎の中で、上記歯科インプラントを所望の埋入深度に確実に設置するために、上記円筒体は、円筒状の外面、および上記外面上にある円周状の溝を備えている。また、上記キットは、上記インプラントガイド（具体的には上記外面および上記溝）と協働するための、停止素子をさらに備えている。
【００１９】
上記停止素子は、第１および第２の部分を備えている。上記第１および上記第２の部分は、第１の状態と第２の状態との間で、動くことが可能なように構成されている。上記第１の状態では、上記第１の部分と上記第２の部分とが第１の距離だけ離間している。上記第２の状態では、上記第１の部分と上記第２の部分とが第２の距離だけ離間している。上記第１の距離は、上記第２の距離よりも小さい。上記第１の部分および上記第２の部分は、上記第１の状態へ付勢されている(biased)。バネといった付勢手段は、上記第１の部分および／または上記第２の部分に対して上記第１の状態へ付勢を与えうる。しかし、付勢力はまた、上記停止素子自体の材料によって与えられてよい。例えば、上記停止素子は、少なくとも一部が弾性材料から作られていてよい。
【００２０】
ある実施形態において、上記第１および上記第２の部分は、上記溝の半径に実質的に対応する半径を有する、弧状である。上記停止素子には、伸長部が備えられていてよい。上記伸長部は、上記第１および上記第２の部分を、上記第１の状態から上記第２の状態に動かすために、指または器具によって操作することができる。
【００２１】
特定の実施形態において、上記停止素子は、上記第１の部分と上記第２の部分とを接続している接続部を備えている。ここで、上記接続部、上記第１の部分および上記第２の部分は、開環状の形状を形成している。この環は、上記第１の状態において、上記溝底の直径に実質的に対応するか、または溝底の直径よりも大きい直径を有しており、かつ上記インプラントガイドの円筒形の外面の直径よりも小さい直径を有している。
【００２２】
上記第２の距離は、上記インプラントガイドの上記外面における互いに正反対の側面間の距離以上である。そのため、埋入の前には、上記第１および上記第２の部分は、上記外面における互いに正反対の側面上で、上記第２の状態に配置されることができる。また、上記歯科インプラントが上記顎の中へ向かって上記埋入方向に移動している間は、上記溝によって上記第１および上記第２の部分が上記第１の状態へと動き上記停止素子が上記溝によって引っ掛かり、上記インプラントガイドの上記埋入方向へのさらなる移動が阻止されるまで、上記埋入路の上記停止面は、上記停止素子を上記溝に向かって押すことができる。
【００２３】
上記停止素子の長所は、以下の点である。すなわち、上記インプラントガイドが上記埋入路を通って上記所望の埋入深度まで移動しているときに、上記停止素子は、上記インプラントガイドの上記溝へ向かい、さらに上記溝の中へと、上記停止面によって自動的に押し進められる点である。
【００２４】
上記停止素子の遠位端が上記溝の遠位側の溝側面まで到達すると、上記第１の部分および上記第２の部分は上記第１の状態まで動くことができ、上記溝に咬合する。上記第１の部分および上記第２の部分の、上記溝に対する咬合の動作は、音（例えば、クリック音）を発生させてよい。上記音は、上記歯科インプラントが所望の深度に到達したことの、明確な合図となる。
【００２５】
上記第１および上記第２の部分が上記溝の中に配置されると、上記歯科インプラントは、上記顎の中へ向かってさらに移動することが、実質的にできない。なぜならば、上記第１の部分および上記第２の部分が上記溝の中にあることによって、さらなる移動が阻止されるからである。このことは利用者によっても感知されることができ、上記所望の埋入深度に到達したことの合図として使用されうる。
【００２６】
また、主として上記テンプレートの若干の屈曲によって、上記歯科インプラントが上記顎の中へ向かって余計に移動しうることが、現実には認められている。このような状態は、防止されることが望ましい。
【００２７】
上記停止素子および上記インプラントガイドのある実施形態において、上記第１の部分と上記第２の部分との間の上記第１の距離は、上記溝における互いに正反対の側面に決定されており、上記溝の上記溝底の溝直径よりも大きい。上記実施形態において、上記停止素子は、上記第１の状態において上記溝底に挟持されておらず、上記溝と上記停止素子との間には若干の遊びが生じる。これは、上記停止素子が上記溝の中に配置されているときに、上記停止素子が上記溝に対して移動できることを意味する。
【００２８】
その結果として、上記歯科インプラントが上記顎の中へ向かって余計に移動しているか否かを、上記溝の中にある上記停止素子が若干移動できるか否かを確認することによって、容易に決定できる。上記停止素子と上記溝との間で若干の移動が可能な場合は、上記停止素子が挟持されておらず、上記歯科インプラントが上記顎の中で上記所望の埋入深度に配置されていることが示されている。上記停止素子と上記溝との間で移動が不可能な場合は、上記歯科インプラントが上記顎の中へ向かって余計に移動している結果として、上記溝の近位側の溝側面と上記テンプレートの上記停止面との間において、上記停止素子が挟持されている。再び若干可能になるまで(until there is again some possible)上記歯科インプラントを逆に移動させることによって（例えば、逆方向に回転させることによって）、上記歯科インプラントを、上記所望の埋入深度に配置することができる。このようにして、上記テンプレートのあらゆる屈曲を考慮することができ、結果として、上記テンプレートの設計上の制約がより緩やかになりうる。それでもなお、上記歯科インプラントの正しい埋入深度を、非常に正確かつ信頼性をもって決定することができる。
【００２９】
本発明は、上述の請求項のいずれかに記載のキットを用いて患者の顎の中における歯科インプラントを設置するのに使用するテンプレートを提供する方法を、さらに提供する。上記方法は、以下の工程、
上記歯科インプラントが埋入されるべき上記顎のモデルを決定する工程；
上記歯科インプラントの、所望の埋入方向および埋入深度を決定する工程；
上記テンプレートを設計する工程：および、
上記テンプレートを作製する工程を含み、
上記テンプレートを設計する工程は、
顎に対して所定の位置に配置されうるように、テンプレートの形状を造形する設計工程；
インプラントガイドの円筒体を所望の埋入方向へと誘導するように構成されている１つ以上の埋入路を、上記テンプレートに造形する設計工程；および、
上記顎の中へ向かう上記歯科インプラントの移動を、所望の埋入深度に制限するように構成されている停止面を造形する設計工程；を含む。
【００３０】
本発明の実施形態のさらなる詳細および長所を、以下の添付図面を参照しながら説明する。
【００３１】
図１は、本発明に係るキットの実施形態のテンプレートを、模式的に示している。
【００３２】
図２は、本発明に係るキットの実施形態のインプラントガイドを、模式的に示している。
【００３３】
図３は、本発明に係るキットの実施形態の歯科インプラントを、模式的に示している。
【００３４】
図４は、本発明に係るキットの実施形態の停止素子を、模式的に示している。
【００３５】
図５〜７は、図１〜４に示されているキットの実施形態を用いた、歯科インプラントの埋入工程を示している。
【００３６】
本発明は、患者の顎の中への、歯科インプラントの埋入用キットに関する。上記キットの部品を、それぞれ図１〜４に分けて示す。
【００３７】
図１は、歯科インプラントの顎の中への埋入の際に用いられる、テンプレート１０を示している。上記顎に対する固定された固有の位置関係で、上記テンプレートを容易に配置することができるように、上記テンプレートは、好ましくは、患者に特有に作製されている。このようなテンプレートの作製には、歯の大きさおよび位置、または既に導入されている基準点（例えば、（ミニ）インプラント）などの、患者に特有の特徴を用いる。
【００３８】
埋入処置の際に上記位置関係を確実に維持するために、上記テンプレートは、埋入処置の際、上記顎に対して一時的に固定されてもよい。
【００３９】
テンプレート１０は、モデル（具体的には、画像化技術または従来技術によって得られるコンピュータモデル）に基づいて作製されてよい。任意の適切な技術（石膏型、ＣＡＤ  ＣＡＭの使用、ラピッドプロトタイピングまたは３Ｄプリンティングなど）を、テンプレート１０を作製するために使用してもよい。
【００４０】
テンプレート１０は、多数の埋入路１１(a number of implantation channels 11)を備えている。埋入路１１は、上記顎の中に埋入される歯科インプラントの、所望の埋入方向を規定している。埋入路１１は、通常、テンプレート１０を貫通している、真っ直ぐな円筒状の経路である。埋入路１１の位置および方向はまた、通常、患者に特有であり、それゆえ特定の患者のために設計されている。
【００４１】
上記テンプレートは、埋入の際に上記顎に向けられている顎側部と、上記テンプレートが正しい埋入位置に配置されている際に上記顎とは逆方向を向いている逆側部と、を備えている。上記埋入路の逆側部において、それぞれの埋入路１１の端（すなわち、上記埋入方向から見て上記埋入路の近位端）には、停止面１２が備えられている。停止面１２は、停止素子４０（後述）と協同し、歯科インプラント３０の埋入深度を規定するように構成されている。
【００４２】
図２は、顎の中に歯科インプラントを正しく埋入するために用いられる、インプラントガイド２０を示している。図３は、歯科インプラント３０を示している。歯科インプラント３０は、歯科インプラント３０が配置される顎に事前に穿たれた孔の中に、歯科インプラント３０をネジ留めするための、ネジ山３２を備えている。上記顎の中にある上記歯科インプラントのために、他の任意の固定技術（セメント固定またはリムロック(locking rims)など）もまた、使用してよい。
【００４３】
埋入の際、インプラントガイド２０および歯科インプラント３０は、互いに接合されている。そして、インプラントガイド２０および歯科インプラント３０の結合体を、テンプレート１０のそれぞれの埋入路１１を通じて前進させることによって、上記顎の中に配置される。
【００４４】
インプラントガイド２０は、近位端および遠位端を備えている。インプラントガイド２０の上記遠位端には、接続装置２１が備えられている。接続装置２１は、少なくとも上記顎の中に歯科インプラント３０を埋入する間、歯科インプラント３０の接続装置３１と協同して、歯科インプラント３０とインプラントガイド２０とを着脱可能に接合するように構成されている。歯科インプラントを接続するための接続装置２１、３１、およびインプラントガイド２０は、公知の技術である。
【００４５】
インプラントガイド２０は、円筒体２２をさらに備えている。円筒体２２の直径は、それぞれの埋入路１１の直径と実質的に同じであるか、または僅かに小さい。これは、上記歯科インプラントの埋入の際に、インプラントガイド２０の長軸と埋入路１１の長軸とが確実に一直線に並び続けるようにするためであり、それに加えて、上記歯科インプラントの確実に埋入方向を正しくする。
【００４６】
円筒体２２は、円周状の溝２４が設けられている外面２３を備えている。溝２４は、実質的に長方形の断面を有している。上記断面は、溝底２５、および実質的に垂直な溝側面を有している。
【００４７】
図４は、第１の部分４１および第２の部分４２を備えている、本キットの停止素子４０を示している。第１の部分４１および第２の部分４２は、接続部４３によって、互いに接続されている。第１の部分４１、第２の部分４２および接続部４３は、共に開環状の形状を形成している。上記開環の内径は、溝底２５の直径よりも大きいが、外面２３の直径よりも小さい。第１の部分４１、第２の部分４２および接続部４３の高さは、溝２４の幅よりも小さい。このため、所望するならば、上記開環状の形状を、少なくとも部分的に、インプラントガイド２０の溝２４の中に配置することができる。
【００４８】
停止素子４０は、弾性材料（例えば、弾性プラスチック材料または弾性金属）から作られている。このため、第１の部分４１および第２の部分４２は、弛緩している第１の状態（図４に示されている）から、第２の伸展している状態に動くことができる。上記第２の伸展している状態において、第１の部分４１と第２の部分４２との距離は、インプラントガイド２０の外面２３の直径よりも大きい距離まで増大する。したがって、上記の第２の状態においては、停止素子４０を、外面２３上に（具体的には、溝２４の遠位側に）設置することができる。
【００４９】
停止素子４０は、第１の伸長部４４および第２の伸長部４５を備えている。第１の伸長部４４および第２の伸長部４５を互いの方向へ向けて動かす（矢印Ａによって示されている）ことによって、第１の部分４１および第２の部分４２が、第１の状態から第２の状態へと動くことを容易にする。利用者の親指と人差し指によって、第１の伸長部４４および第２の伸長部４５を互いの方向へ向けてつまむことにより、上述のＡの動きを容易に実行することができる。第１の伸長部４４および第２の伸長部４５を互いの方向へ向けてつまむことによって、第１の部分４１および第２の部分４２は、外面２３上を移動することができる。そのため、上記停止素子は、外面２３上に挟持される。
【００５０】
テンプレート１０は個々の患者用に特注されうる。このため、インプラントガイド２０、歯科インプラント３０および停止素子４０は、１つ以上の標準サイズが定められうる標準化された要素であってよい、と言える。
【００５１】
テンプレート１０、インプラントガイド２０、歯科インプラント３０および停止素子４０を備えている本キットの使用について、図５〜７を参照しながら説明する。
【００５２】
図５は、歯科インプラント３０の埋入の第１部における、インプラントガイド２０と歯科インプラント３０との結合体を示している。テンプレート１０は、埋入路１１を設けるために設計され、作製された。埋入路１１は、顎に孔を穿ち、続いて歯科インプラント３０をそれぞれの孔５１の中に正しく設置するために、インプラントガイド２０を誘導するように構成されている。
【００５３】
また、それぞれの停止素子４０がインプラントガイド２０の溝２４の中に配置され、かつテンプレート１０の停止面１２と接触するときに、歯科インプラント３０が所望の埋入深度に到達するように、テンプレート１０の停止面１２は設計されている。
【００５４】
図５において、テンプレート１０は、顎５０に対して、望ましい固有の位置に設置されている。そのため、テンプレート２０における埋入路１１は、歯科インプラント３０の長軸を所望の埋入方向Ｂに維持するように、かつ、歯科インプラント３０が事前に穿たれた孔５１の中へ向かって正しく移動するように、配置されている。
【００５５】
停止素子４０は、第１の部分４１および第２の部分４２が第２の伸展された状態で、溝２４から遠位側の位置にあるインプラントガイド２０の外面２３上に配置されている。図５において、まだ、停止面１２は、溝２４および停止素子４０と離間している。これは、上記所望の埋入深度には、未だ到達していないことを示している。
【００５６】
図６は、孔５１の中へさらに前進した、インプラントガイド２０と歯科インプラント３０との結合体を示している。停止素子４０は、インプラントガイド２０に対しては、依然として同じ場所に位置している。しかし、停止素子４０は、テンプレート１１上の停止面１２まで移動し、停止面１２と接触している。
【００５７】
インプラントガイド２０が埋入方向Ｂへとさらに移動したとき、停止面１２は、近位方向へと停止素子４０を押し進める。そして、停止素子４０が溝２４に到達するまで、インプラントガイド２０の近位方向（すなわち、溝２４の方向）へと、外面２３上を摺動させる。停止素子４０の遠位側が、溝２４の遠位側を過ぎて移動したとき、外面２３はもはや、停止素子４０を伸展状態で保持しない。そして、上記停止素子は、溝２４の中へと移動し、第１の弛緩した状態へと動くことができる。
【００５８】
図７は、インプラントガイド２０の、上述の位置を示している。上記位置において、停止素子４０は溝２４の中へと移動した。これは、上記所望の埋入深度に到達したことを示している。
【００５９】
停止素子４０の使用は、以下の長所を有している。すなわち、インプラントガイド２０が上記埋入方向に移動する際に、停止素子４０は上記溝の中へと自動的に移動し、上記所望の埋入深度に到達したことを示す。個別の動作を必要としない。
【００６０】
さらに、上記第２の状態から上記第１の状態への停止素子４０の動きによって、クリック音または他の音の合図を発することができる。この音の合図は、上記所望の埋入深度に到達したことを示している。これは、本キットの使用（具体的には、上記所望の埋入深度に到達したか否かの決定）を、容易にする。
【００６１】
また、利用者は、停止素子４０が溝２４の中に位置しているか否かを、容易に理解することができる。なぜならば、上記第２の状態から上記第１の状態への動きは、停止素子４０の直径を実質的に変化させることになるからである。このことは、例えば、停止素子４０の直径と、図６および７の停止面１２の直径との違いを比較することによって判る。
【００６２】
停止素子４０が上記溝の中へと移動することの他の重要な長所は、上記歯科インプラントが顎５０の中へ向かってさらに移動することが、実質的にできないことである。なぜならば、溝２４の中に位置している停止素子４０は、インプラントガイド２０の、埋入方向Ｂへのさらなる移動を阻止するためである。
【００６３】
実際には、テンプレート１０の形状および材質が若干の柔軟性を有しうるため、歯科インプラントが孔５０の中を余計に移動できることになる、と言える。なぜならば、歯科インプラント３０を顎５０の中にネジ留めする際にテンプレート１０にかかる力の結果として、テンプレート１０が埋入方向Ｂに若干屈曲するからである。
【００６４】
歯科インプラント３０が上記所望の埋入深度に位置しているか否かをより正確に決定するために、停止素子４０の直径（すなわち、第１の部分４１と第２の部分４２との間の距離）は、第１の弛緩した状態において、溝底２５の直径よりも大きくなるように設定されている。この結果、停止素子４０が溝２４の中に位置しているときに、停止素子４０と溝２４との間に若干の遊びが生じる。
【００６５】
インプラントガイド２０および歯科インプラント３０が顎５０の中へ向かって余計に移動しているとき、停止素子４０は、停止面１２と、溝２４の近位側の溝側面との間に挟持される。その結果として、停止素子４０はもはや、若干の遊びを有さなくなる。例えば、第１の伸長部４４および第２の伸長部４５の一方を押し返すことによって、利用者は遊びの存在を容易に決定できる。
【００６６】
停止素子４０が溝２４の中へと移動したとき、利用者は、第１の伸長部４４および第２の伸長部４５の一方を押し返してよい。停止素子４０が若干移動する場合は、上記歯科インプラントが上記所定の埋入深度に位置していることを示している。停止素子４０が溝２４の中で動くことができない場合は、上記歯科インプラントは、孔５１の中を過度に移動している（例えば、テンプレート１０の屈曲のために）。歯科インプラント３０が孔５１を抜け出すように、停止素子４０と溝２５との間に若干の遊びが観測されるまで歯科インプラント３０をゆっくりと反対方向に回転させることによって、歯科インプラント３０を上記所望の埋入深度まで戻すことができる。
【００６７】
以上に、歯科インプラントの顎の中への埋入に用いるためのキットの実施形態を説明した。しかしながら、部品（停止素子４０など）の他の実施形態もまた、意図されている。
【図面の簡単な説明】
【００６８】
【図１】図１は、本発明に係るキットの実施形態のテンプレートを、模式的に示している。
【図２】図２は、本発明に係るキットの実施形態のインプラントガイドを、模式的に示している。
【図３】図３は、本発明に係るキットの実施形態の歯科インプラントを、模式的に示している。
【図４】図４は、本発明に係るキットの実施形態の停止素子を、模式的に示している。
【図５】図５は、図１〜４に示されているキットの実施形態を用いた、歯科インプラントの埋入工程を示している。
【図６】図６は、図１〜４に示されているキットの実施形態を用いた、歯科インプラントの埋入工程を示している。
【図７】図７は、図１〜４に示されているキットの実施形態を用いた、歯科インプラントの埋入工程を示している。
【図１】
0006619438.tif 000002
【図２】
0006619438.tif 000003
【図３】
0006619438.tif 000004
【図４】
0006619438.tif 000005
【図５】
0006619438.tif 000006
【図６】
0006619438.tif 000007
【図７】
0006619438.tif 000008